(57)【特許請求の範囲】
【請求項１】
車輪および滑動安定板を備え、歩行面が平坦な状態では、車輪が歩行面に接地する歩行器において、
前記滑動安定板は、先端側に第１のそり上がり部が形成されているとともに、歩行面が平坦な状態で、第１のそり上がり部が歩行面から浮き上がり、かつ、下面の後端側の一部が接地すべく、前上がりに傾斜していることを特徴とする歩行器。
【請求項２】
前記滑動安定板が、可撓性を有する材料により形成されていることを特徴とする請求項１に記載の歩行器。
【請求項３】
前記滑動安定板の後端側に、第２のそり上がり部が形成されていることを特徴とする請求項１または２に記載の歩行器。
【請求項４】
前記第２のそり上がり部が、前記第１のそり上がり部よりも小さい曲率に形成されていることを特徴とする請求項３に記載の歩行器。
【請求項５】
前記滑動安定板は、穴が開設され、該穴から車輪下方が歩行面に臨まれ、該車輪下方よりも後方に前記滑動安定板の接地部が位置していることを特徴とする請求項１ないし４の何れか１項に記載の歩行器。
【請求項６】
前記滑動安定板は、歩行器の枠体の下面前方に少なくとも１個設けられていることを特徴とする請求項１ないし５の何れか１項に記載の歩行器。
【発明の詳細な説明】
【０００１】
【産業上の利用分野】
この発明は、歩行に障害がある障害者が特に家庭内で介助者なしで自立的に歩行訓練を行い、機能回復をはかるのに最適な歩行器の改良に関する。
【０００２】
【従来の技術】
従来、高齢者の大腿骨頚部骨折、受傷前からの腰痛、脊椎の後弯、筋力の低下、リウマチ等により歩行に障害を生じた場合に、自立的の歩行を補助して訓練を行い、機能回復をはかる歩行器として例えば前部および左右を囲み、後部を解放した形状の枠体の下面に設けた脚杆にて４点にて支持する４点支持構造や、または３点にて支持する３点支持構造の交互型歩行器（以下、この明細書において交互型歩行器とは障害者の両下肢の交互の繰り出しにより歩行訓練を行う形式の歩行器をいう）といわれるものがあった。
そしてこの交互型歩行器は、障害者が直立した姿勢で枠体の上部に設けた体重支持杆を把持するか又は枠体の上体受部内に体を入れるとともに左右の体重支持杆を腋にて挟むように前屈みになるかして体重を枠体にかけながら移動して歩行訓練を行うものであった。
【０００３】
また他の従来例として歩行障害の程度が杖を使用する杖歩行よりも重いが、交互型歩行器を使用する場合よりも軽微な障害者を対象として病院内において医師または介助者の指導、監督の下に歩行訓練を行うものとして、枠体の下面においてその前方には水平方向に遊転可能なキャスター構造の２個の車輪と後方には２個の車輪との合計４個の車輪又は１個のキャスターの車輪と後方には２個の車輪との合計３個の車輪を装着した歩行器があった。
【０００４】
ところで上記交互型歩行器は、▲１▼上肢が運び得る距離により障害者自らの歩幅が決定されるので、馴れないと取扱い難いとともに歩幅が任意になること、▲２▼リズミカルな歩調になって歩行が杖歩行に回復するまでに訓練に多くの時間を必要としていたこと、▲３▼障害者自らの自立性が保証される反面、介助者の保護を必要としていたこと等の不都合があった。
そこでこの▲１▼〜▲３▼に掲げる不都合を是正し、退院後に特に介助者がいず、敷居、畳のへり等の段差が多い家庭内において安定に歩行が行なえるようにするとともに上記車輪付の歩行器において、車輪の回転により転倒する不安定性を是正するものとして本出願人の一人は、枠体の下面に滑動安定板を備えた歩行器についての考案を実公平3-16655 号として出願済である。
【０００５】
【発明が解決しようとする課題】
しかしながら上記従来の実公平3-16655 号公報記載の考案は、枠体の下面に設けた滑動安定板が床面に対して全面に接触するので、摩擦力が大きく方向変換および横移動が容易には行えないこと、框等の背が高い段差を乗り越えるのは容易に行えないとともに乗り越える際の衝撃が大きいこと、後方移動が容易に行えないこと等の不便があった。
【０００６】
そこで本発明は、安定性を維持しながら、框等の背が高い段差でも容易に乗り越えが行え、しかも乗り越える際の衝撃が小さく、さらには後方移動も容易であり、また方向変更および横移動も容易な歩行器を提供することを目的とする。
【０００７】
【課題を解決するための手段】
本発明は上記課題に鑑み、体重を支持する枠体の下面に滑動安定板を備えた歩行器にして、前記滑動安定板は可撓性を有する材料により形成され、且つ先端側に第１のそり上がり部を、また後端側には第２のそり上がり部を夫々形成するとともに下面の一部を接地可能に形成するという手段を採用した。
【０００８】
【作用】
滑動安定板はその一部が床面に接地するので、安定に歩行が行なえる。しかも滑動安定板の歩行面に対する摩擦力は全面が接触する場合よりも小さいので、軽快に歩行が行なえるとともに方向変更や横移動が容易に行なえる。
また滑動安定板には先端側に第１のそり上がり部を、また後端側には第２のそり上がり部を夫々形成しているので、框等の背が高い障害物であったとしても滑動安定板を前上がりにすることにより容易に乗り越えることができる。しかも背が高い障害物を乗り越える場合に、滑動安定板の後端側に設けた第２のそり上がり部と先端側に設けた第１のそり上がり部とが協同して接地するので、衝撃は小さくなる。
【０００９】
【実施例】
以下、本発明の一実施例を図１乃至図７に従って４輪の車輪付歩行器につき説明する。
１は枠体であり、この枠体１は表面に樹脂加工を施した比較的小径で軽量の金属パイプやプラスチック等を用いて前後に位置する直線状の２本の脚杆２Ａ，２Ｂ、また体重を支えるために該脚杆２Ａ，２Ｂの上端に水平に架設され、且つその使用高さＨを加減するように、前記脚杆２Ａ，２Ｂに対応する前後の下面に支持用短杆部２Ｃ1 を設けた昇降自在な平面略コ字形の体重支持杆２Ｃ、および前記脚杆２Ａ，２Ｂの略中程に水平方向に架設されることにより前記脚杆２Ａ，２Ｂを連結するための連結杆３Ａによって全体形状が側面、縦長で略コ字形をなした対向する左右の側枠２，２と、該側枠２，２の前部を連結するための前枠４としての連結杆４Ａとから形成される。そしてこの枠体１は、その前方および左右の三方が囲まれるともに後方が解放されるように、標準的に高さ約662.0mm 、奥行約400.0mm 、幅約450.0mm の大きさに形成される。
【００１０】
前記体重支持杆２Ｃを前記側枠２，２に対してその使用高さＨを高低加減して調整するのには、前記支持用短杆部２Ｃ1 の下面に設けた細径の挿入棒５を前記脚杆２Ａ，２Ｂ内に摺動可能に挿入した上で、その脚杆２Ａ，２Ｂに装着した調整ねじ６の先端部を前記挿入棒５の周面に押付けることにより、使用高さＨを調整する。この使用高さＨは、障害者の年令、身長等に応じて丁度良い高さに調整される。
そして体重支持杆２Ｃの伸縮加減による使用高さＨは、最長900mm とすることができる。
【００１１】
７は左右の側枠２，２と前枠４とによって囲まれる上体受部であり、この上体受部７は必要に応じて挿入棒５を脚杆２Ａ，２Ａ；２Ｂ，２Ｂから抜取って枠体１部分を手で押す等して使用することも可能である。
またこの上体受部７には、図には示さないがヒンジを介して椅子を設けることも可能である。
【００１２】
図４に示すように、８は前記脚杆２Ａ，２Ａ；２Ｂ，２Ｂの下面に回転自在に装着された前後および左右の合計４個の車輪部であり、これらの車輪部８は、車輪８ａと、この車輪８ａを覆うように前記脚杆２Ａ，２Ａ；２Ｂ，２Ｂに対して取付けられた側面略台形の支持カバー８ｂと、車輪８ａを回転自在に支持するように前記支持カバー８ｂの下面中央に設けられた支持片８ｃとから形成される。このうち前方の２個の車輪部８は、進行方向を変更するために前記脚杆２Ａ，２Ａに水平方向に遊転自在に支持されるキャスター構造のものであってもよい。
【００１３】
図５に示すように、９は前記枠体１の下面の前方、例えば前方の２本の前記脚杆２Ａ，２Ａに装着された２つの前記車輪部８の下面に適宜固着手段を用いてその下面の一部が接地可能に着脱自在に固着された滑動安定板であり、この滑動安定板９は例えばプラスチックやアルミニウム等の金属等の可撓性材料を用いて先端側が全長の略１／３程度に大きな曲率Ｒをもってそり上がった第１のそり上がり部９ａを、また後端側には前記第１のそり上がり部９ａの曲率Ｒよりも小さい曲率Ｒ′に形成された第２のそり上がり部９ｂが夫々形成される。また滑動安定板９は歩行の安定性をはかるために幅８cm、長さ略20cm、厚さ5mm 程度の大きさに形成される。
【００１４】
また前記滑動安定板９は、前述のようにその一部、例えば図５に示すように後端側の第２のそり上がり部９ｂ近くの下面が接地する接地部９ｃとなすように先端側の前記第１のそり上がり部９ａが歩行面Ｙから浮き上がった状態にて数度の傾斜角度Ｋ、例えば約３°程度に滑動安定板９を前上がりに傾斜して車輪部８の下面に取付けられる。そして前記滑動安定板９を車輪部８の下面に取付けるのには、車輪部８の前記支持カバー８ｂの前後端に延長方向に夫々設けた取付片部８ｂ1 ，８ｂ2 に、前記滑動安定板９を取付ねじ１０を用いてねじ固定する。
前記接地部９ｃは、歩行面Ｙに対する安定性を充分に確保する点から、少なくとも5 〜8mm 程度の長さが歩行面Ｙに接する。
８ｅは前記車輪部８を前記脚杆２Ａに取付ける場合に、図示した如く前記支持カバー８ｂとの間に介装され緩衝用として用いることができるコイルばね材である。
【００１５】
図４および図５において、９ｄは歩行面Ｙを軽快に歩行するのと、歩行面Ｙがビニール等で化粧仕上げされて滑動安定板９との摩擦係数が大きく滑動し難い場合とに対処して滑動安定板９に開設される穴であり、この穴９ｄから車輪部８の車輪８ａの下方の周面が歩行面Ｙに僅かに接触自在に臨まれることにより、車輪部８の車輪８ａが歩行面Ｙに接触して回転することで滑動安定板９と歩行面Ｙとの摩擦を小さくし、歩行器の移動を円滑にし、歩行を円滑になす。この場合図５に示すように、滑動安定板９の前記接地部９ｃが車輪８ａの後方に位置して設けられる。
前記穴９ｄの形状は、図示においては平面略矩形に形成されているが、これに限ることなく例えば楕円形、長円形等があり、要は車輪部８の車輪８ａを収容して充分に下方に臨ませるものであればよい。
【００１６】
本発明の一実施例は以上の構成からなり、歩行訓練を行うのに障害者は、例えば枠体１内の上体受部７内に入って直立する姿勢で両腕にて側枠２，２の体重支持杆２Ｃを把持することにより体重を枠体１にかけたり、または体重支持杆２を手に把持して押す等しながら交互に繰出して歩行を行う。この場合、左右の側枠２，２の前方の脚杆２Ａ，２Ａに装着された車輪部８，８の下面には滑動安定板９，９が支持カバー８ｂの前後端に設けた取付片部８ｂ1 ，８ｂ2 に取付ねじ１０を用いてねじ固定されているから、前方の２つの滑動安定板９，９は歩行面Ｙに対して滑動されると同時に後方の２つの脚杆２Ｂ，２Ｂに装着された車輪部８，８は回転されることにより前後および左右に支持された状態で安定に障害者の歩行速度に合わせた歩行が行なえる。
すなわち滑動安定板９は、幅８cm、長さが略20cm程度で先端側が全長の略１／３程度の第１のそり上がり部９ａが設けられ、後端側には第２のそり上がり部９ｂが形成されることにより、先端側が浮き上がり状態で傾斜してその一部の接地部９ｃが歩行面Ｙに5 〜8mm の長さに充分接地しているので、滑動安定板９は歩行面Ｙに対して充分な接触面積を保有して安定に歩行が行なえる。
【００１７】
そして家庭内の歩行面Ｙに、敷居、畳のへりの如き段差Ｄがある場合に、滑動安定板９はプラスチック等の可撓性を有する材料により形成され、その先端側には大きな曲率Ｒの第１のそり上がり部９ａが形成されるとともに後端側には小さな曲率Ｒ′の第２のそり上がり部９ｂが形成されることにより先端側が傾斜角度Ｋをもって浮き上がり状態で車輪部８，８の下面に取付けられるので、容易にその段差Ｄを乗り越えて円滑に滑動が行なえる。
またこの段差Ｄが框のように背が高い場合には、前述のように滑動安定板９，９は傾斜角度Ｋをもって前上がりの傾斜状態に取付けられ、しかも滑動安定板９，９の先端側に設けた第１のそり上がり部９ａの曲率Ｒは後端側に設けた第２のそり上がり部９ｂの曲率Ｒ′よりも大きいので、歩行器を滑動安定板９，９の後端側に設けた第２のそり上がり部９ｂの曲率Ｒ′に沿って滑動安定板９，９を前上がりに転動する。この結果、歩行面Ｙに対して滑動安定板９，９の先端側の浮き上がり状態を図６に示すような通常の歩行状態の場合よりも一層大きくすることができ、容易に背が高い段差Ｄを乗り越えることができる。
【００１８】
しかも滑動安定板９，９は、床面Ｙに対して全面が接触するのではなく、一部が接触するので、滑動安定板９が背の高い段差Ｄを乗り越える場合に、図７に示すように大きな曲率Ｒを有する滑動安定板９の先端側が、先ず歩行面Ｙに接地してその曲率Ｒに伴って徐々に且つ滑らかに歩行面Ｙを摺動して行き、同時に小さな曲率Ｒ′を有する後端側が未だ段差Ｄ上に載置されて先端側の移動に伴ってその曲率Ｒ′に沿って滑らかに且つ徐々に段差Ｄの前壁部に沿って滑動しながら落下して行くので、滑動安定板９，９が段差Ｄを乗り越えるのに落下による衝撃は緩和される。
【００１９】
しかも障害者が意図する方向へ歩行器の方向転換および横すべりの操作が容易且つ確実となり、歩行が確実に行なえる。
また滑動安定板９の後端側には第２のそり上がり部９ｂが形成されているので、後方移動も可能である。
【００２０】
また歩行時に体重が前方の左右の脚杆２Ａ，２Ａにかかった場合に、この脚杆２Ａ，２Ａと滑動安定板９，９との間には車輪部８，８が介在されているから、この車輪部８，８により滑動安定板９，９に加わる衝撃が直接、枠体１に伝わるのが阻止されて緩衝される。また車輪８ａの支持カバー８ｂと脚杆２Ａ，２Ａとの間にはコイルばね８ｅが介在されていることもあって滑動安定板９，９に加わる衝撃は緩衝される。従って無理な荷重を障害者の障害個所に加わるのが軽減される。
【００２１】
図８および図９に示すものは、前方、中央に配置される１本の脚杆２Ａと、後方の左右の脚杆２Ｂ，２Ｂとから枠体１′を形成し、しかも後方の２つの脚杆２Ｂ，２Ｂと前方の１つの脚杆２Ａの下面に装着した３つの車輪部８とからなる３点支持構造の歩行器において、水平方向に遊転自在に支持されたキャスター構造の前方の１つの車輪部８のみに安定滑動板９を前記実施例と同様の固着手段を用いて固着した歩行器を示したものである。そしてこの実施例においても、前方の１つの滑動安定板９を歩行面Ｙの上面において滑動させるとともに後方の２つの車輪部８，８を回転させることにより、歩行面Ｙに段差Ｄがある場合にも障害者は転倒することがなく、安全に歩行訓練が行なえるとともに方向転換も容易である。
【００２２】
図１０に示すものは本発明の第３実施例であり、この実施例においては３点支持構造の歩行器において、前記枠体１′の下面前方の中央部に設けた車輪部８の左右に取付支持部品３０を介して滑動安定板９を装着するとともに、前記枠体１′の下面後方の二隅には２つの車輪部８，８が回転自在に装着された点が図８および図９に示す本発明の第２実施例と異なる。
【００２３】
上記第１実施例および第２実施例においては、滑動安定板９，９に穴９ｄを開設して車輪８ａの下面が歩行面Ｙに臨まれた状態で滑動安定板９，９を前上がりの傾斜角度Ｋをつけて先端側の第１のそり上がり部９ａが歩行面Ｙから浮き上がった状態で傾斜して車輪部８の下面に取付けているが、滑動安定板９，９に穴９ｄを設けて車輪８ａを臨ませることは必ずしも必要ではない。
【００２４】
【発明の効果】
以上のように本発明は、安定性を維持しながら、框等の背が高い段差を容易に乗り越えることができるとともに乗り越える際の衝撃が小さく、さらには後方移動も容易で方向変更および横移動を容易にできる。
【図面の簡単な説明】
【図１】本発明の歩行器の一実施例を示す側面図である。
【図２】同じく正面図である。
【図３】同じく平面図である。
【図４】同じく要部を示す斜面図である。
【図５】同じく断面図である。
【図６】背が高い段差を乗り越える場合の使用状態を示す断面図である。
【図７】同じく乗り越える場合の断面図である。
【図８】本発明の他の実施例を示す正面図である。
【図９】同じく平面図である。
【図１０】図１０は本発明の第３実施例を示す正面図である。
【符号の説明】
１      枠体
２      側枠
２Ａ    脚杆
２Ｂ    脚杆
２Ｃ    体重支持杆
４      前枠
８      車輪部
８ａ    車輪
８ｂ    支持カバー
８ｂ1   取付片部
８ｂ2   取付片部
９      滑動安定板
９ｃ    接地部
９ｄ    穴
１０    取付ねじ
【図１】
0003773212.tif 000002
【図２】
0003773212.tif 000003
【図３】
0003773212.tif 000004
【図４】
0003773212.tif 000005
【図５】
0003773212.tif 000006
【図６】
0003773212.tif 000007
【図７】
0003773212.tif 000008
【図８】
0003773212.tif 000009
【図９】
0003773212.tif 000010
【図１０】
0003773212.tif 000011